(57)【要約】【課題】本発明は建物近傍に耐引抜杭を追設し、建物と該杭の両方に連結する構造物により、テラスやベランダなどの機能を追加しつつ、耐震補強構造にして信頼性の高い建物を提供している。【解決手段】本発明の耐震補強構造は、耐引抜杭１と建物１１をブレース１２などの構造物で結合して建物１１の確実な耐震補強を図っている。また、本発明の耐引抜杭１は、下端部を閉鎖した中空状の杭本体を有し、該杭本体の下端部にスパイラル羽根を設けた小径の先端部が装備され、該先端部のスパイラル羽根にピッチを合わせたスパイラル羽根が少なくとも杭本体の下端部周囲に設けられた構成である。さらには杭本体の周囲に押出し可能な複数のアンカーピンを所定の間隔で設けることが好ましい。【選択図】図１
2005299083.tif 000002
【特許請求の範囲】
【請求項１】
建物を、該建物の近傍に建物とは別構成で打設した耐引抜杭で補強してなることを特徴とする耐震補強構造。
【請求項２】
建物を、該建物の近傍に建物とは別構成で打設した耐引抜杭及び該杭と建物の両方に連結して構成した構造物で補強することを特徴とする耐震補強構造。
【請求項３】
構造物がテラスであり、耐引抜杭と建物とをブレースで結合したことを特徴とする請求項２に記載の耐震補強構造。
【請求項４】
構造物がベランダであり、耐引抜杭から延長した支柱でベランダを支持し、支柱と建物とをブレースで結合したことを特徴とする請求項２に記載の耐震補強構造。
【請求項５】
構造物が門型フレームであり、該門型フレームを耐引抜杭から延長した支柱と建物側の支柱とそれらの上部に剛接した梁とで構成してなることを特徴とする請求項２に記載の耐震補強構造。
【請求項６】
耐引抜杭として、下端部を閉鎖した中空状の杭本体を有し、該杭本体の下端部にスパイラル羽根を設けた小径の先端部が装備され、該先端部のスパイラル羽根にピッチを合わせたスパイラル羽根が少なくとも杭本体の下端部周囲に設けられた構成の杭を使用したことを特徴とする請求項１乃至５に記載の耐震補強構造。
【請求項７】
杭本体の周囲に押出し可能な複数のアンカーピンを所定の間隔で設けたことを特徴とする請求項６に記載の耐引抜杭。
【発明の詳細な説明】
【技術分野】
【０００１】
本発明は、建物の技術分野に属しており、詳しくは、建物の耐震補強構造に関するものである。
【背景技術】
【０００２】
近年、大規模地震に対応するため、建物の耐震診断が実施されているが、その結果何らかの対策が必要とされる場合が多い。しかし、建物の耐震補強は、柱や壁などの地上部に対してのみ行われることが普通で、肝心の基礎部については工事が大掛かりになることから、見送られることがある。そこで、建物基礎の近傍に新たな杭を打設して、基礎部を補強する工法が提案されている（例えば、特許文献１参照）。この工法は、建物外部から施工できるので、居住者の日常生活を妨げないというメリットがある。
【０００３】
また、別の課題として、建物の軒を大きく張り出す場合や、建物の外部にベランダなどを設置する場合、それら張出し構造のための独立支柱を設けることが多いが、建物とは独立した簡易な基礎を置く場合が多いため、地震時に倒壊しやすく、弱点となっていた。そこで、支柱の基礎を地中梁によって建物の基礎と一体化することで、強度を増す構造が提案されており、張出し構造の張出しが大きいほど、この一体化構造の特徴を活かすことができる（例えば、特許文献２参照）。
【特許文献１】特開平１０−３１１１４４号公報
【特許文献２】特開平０９−７８６８８号公報
【発明の開示】
【発明が解決しようとする課題】
【０００４】
上記した特許文献１に記載の工法は、杭を建物の基礎と一体化させるものであり、地震の往復運動に対抗するために建物の両側に杭を施工するという大掛かりなものであるが、杭には一般的な支持杭を用いているだけなので、地盤が軟弱な場合は地震による激しい往復の横荷重により、引抜きを起こして建物が倒壊する恐れがあり、また地上部の補強までを含む工法ではないため、そのための別途工事を必要としている。
【０００５】
また、特許文献２に記載の構造は、建物から張り出した構造体を支えるために独立支柱の基礎を強化するものであり、建物自体の強度には寄与しないことと、さらに張出し構造の支柱基礎を建物基礎と一体化したことで、逆に本来不安定な張出し構造の倒壊などの影響を建物基礎が受けて、建物基礎の浮き上がりなどが生じる可能性もある。
【０００６】
本発明は、これらの問題点に鑑みてなされたものであり、その目的とするところは、信頼性の高い建物の耐震補強構造を提供することにある。
【課題を解決するための手段】
【０００７】
請求項１に記載の発明である耐震補強構造は、建物を、該建物の近傍に建物とは別構成で打設した耐引抜杭で補強してなることを特徴としており、建物とは別に耐引抜杭を打設して該建物の周囲の地盤を補強することで、基礎部の耐震補強を図っている。
【０００８】
請求項２に記載の発明である耐震補強構造は、建物を、該建物の近傍に建物とは別構成で打設した耐引抜杭及び該杭と建物の両方に連結して構成した構造物で補強することを特徴としており、耐引抜杭で、建物が建つ地盤のみならず、同時に建物の地上部の耐震補強を図っている。
【０００９】
請求項３に記載の発明である耐震補強構造は、請求項２に記載の耐震補強構造において、構造物がテラスであり、耐引抜杭と建物とをブレースで結合したことを特徴としており、耐引抜杭と建物の１階上部をブレースで結合することで、建物の確実な耐震補強を図ると共に、テラスの追設を可能としている。
【００１０】
請求項４に記載の発明である耐震補強構造は、請求項２に記載の耐震補強構造において、構造物がベランダであり、耐引抜杭から延長した支柱でベランダを支持し、支柱と建物とをブレースで結合したことを特徴としており、耐引抜杭から延長した支柱と建物の２階上部などの上層階をブレースで結合することで、多層建物の確実な耐震補強を図ると共に、ベランダの追設を可能としている。
【００１１】
請求項５に記載の発明である耐震補強構造は、請求項２に記載の耐震補強構造において、構造物が門型フレームであり、該門型フレームを耐引抜杭から延長した支柱と建物側の支柱とそれらの上部に剛接した梁とで構成してなることを特徴としており、耐引抜杭に連結した門型フレームにより建物の確実な耐震補強を図ると共に、ブレースを使用しないので人の通行を可能とし、また門型フレームを利用した玄関ポーチを形成する。
【００１２】
請求項６に記載の発明である耐震補強構造は、請求項１乃至５に記載の耐震補強構造において、耐引抜杭として、下端部を閉鎖した中空状の杭本体を有し、該杭本体の下端部にスパイラル羽根を設けた小径の先端部が装備され、該先端部のスパイラル羽根にピッチを合わせたスパイラル羽根が少なくとも杭本体の下端部周囲に設けられた構成の杭を使用したことを特徴としており、杭本体の下端部にスパイラル羽根を設けた小径の先端部を装備させることでスパイラルアンカー杭の施工時における位置決めを容易にして、作業効率の向上を図っている。
【００１３】
請求項７に記載の発明である耐引抜杭は、請求項６に記載の耐引抜杭において、杭本体の周囲に押出し可能な複数のアンカーピンを所定の間隔で設けたことを特徴としており、杭本体の下端部にスパイラル羽根を設けた小径の先端部を装備させることでスパイラルアンカー杭の施工時における位置決めを容易にし、杭本体の周囲に押出し可能な複数のアンカーピンを所定の間隔で設けることで軟弱地盤の補強を完全にして、スパイラルアンカー杭の簡易かつ確実な稼働によって製造コストを低減し作業効率の向上を図っている。
【発明の効果】
【００１４】
請求項１に記載の発明である耐震補強構造は、建物を、該建物の近傍に建物とは別構成で打設した耐引抜杭で補強してなることを特徴としており、建物とは別に杭を打設して該建物の周囲の地盤を補強することで、基礎部の耐震補強を図れる効果を奏する。
【００１５】
請求項２に記載の発明である耐震補強構造は、建物を、該建物の近傍に建物とは別構成で打設した耐引抜杭及び該杭と建物の両方に連結して構成した構造物で補強することを特徴としているので、以下の効果を奏する。
１）複数の耐引抜杭で建物周囲の軟弱地盤を完全に補強することで、建物基礎部の耐震補強ができる。
２）耐引抜杭と建物を構造物で結合し、建物地上部の耐震補強ができる。
３）耐震補強構造は主に建物外部の工事であり、住人の居住を妨げない。
４）耐引抜杭を使用することにより、建物片側だけの施工で効果がある。
５）上記の諸効果により工事のコスト低減と期間短縮が図れる。
【００１６】
請求項３に記載の発明である耐震補強構造は、請求項２に記載の耐震補強構造において、構造物がテラスであり、耐引抜杭と建物とをブレースで結合したことを特徴としているので、請求項２に記載の耐震補強構造が奏する効果に加え、以下の効果を奏する。
１）耐引抜杭と建物上部をブレースで結合し、地上部の耐震補強ができる。
２）耐震補強構造を利用したテラスを追設できる。
【００１７】
請求項４に記載の発明である耐震補強構造は、請求項２に記載の耐震補強構造において、構造物がベランダであり、耐引抜杭から延長した支柱でベランダを支持し、支柱と建物とをブレースで結合したことを特徴としているので、請求項２に記載の耐震補強構造が奏する効果に加え、以下の効果を奏する。
１）耐引抜杭から延長した支柱と建物の上層階をブレースで結合し、多層建物の地上部の耐震補強ができる。
２）耐震補強構造を利用したベランダを追設できる。
【００１８】
請求項５に記載の発明である耐震補強構造は、請求項２に記載の耐震補強構造において、構造物が門型フレームであり、該門型フレームを耐引抜杭から延長した支柱と建物側の支柱とそれらの上部に剛接した梁とで構成してなることを特徴としているので、請求項２に記載の耐震補強構造が奏する効果に加え、以下の効果を奏する。
１）耐引抜杭と建物上部を門型フレームで結合し、地上部の耐震補強ができる。
２）門型フレームとすることで人の通行ができる。
３）門型フレームを利用して玄関ポーチを追設できる。
【００１９】
請求項６に記載の発明である耐震補強構造は、請求項１乃至５に記載の耐震補強構造において、耐引抜杭として、下端部を閉鎖した中空状の杭本体を有し、該杭本体の下端部にスパイラル羽根を設けた小径の先端部が装備され、該先端部のスパイラル羽根にピッチを合わせたスパイラル羽根が少なくとも杭本体の下端部周囲に設けられた構成の杭を使用したことを特徴としているので、杭本体の下端部にスパイラル羽根を設けた小径の先端部を装備させることによりスパイラルアンカー杭の施工時における位置決めを容易にして、作業効率の向上を図れる効果を奏する。
【００２０】
請求項７に記載の発明である耐引抜杭は、請求項６に記載の耐引抜杭において、杭本体の周囲に押出し可能な複数のアンカーピンを所定の間隔で設けたことを特徴としているので、以下の効果を奏する。
１）施工時における位置決めを容易に行うことができる。
２）複数のアンカーピンで軟弱地盤を完全に補強できる。
３）耐引抜杭の稼働を簡易かつ確実にできる。
４）耐引抜杭の製造コストを低減し、作業効率を向上できる。
【発明を実施するための最良の形態】
【００２１】
本発明による耐震補強構造は、耐引抜杭を建物の近傍に打設し、その耐引抜杭と建物をブレースで結合することを基本としており、耐引抜杭による地盤の安定化とブレースによる建物地上部補強の確実化を図っている。
【００２２】
以下に、本発明による耐震補強構造に関する実施の形態を図面に基づいて詳細に説明する。
【実施例１】
【００２３】
図１は本発明に係る耐震補強構造を適用した建物の一例を示す鳥瞰図であり、この図では杭が３本ある面を南面（Ｓ）、杭が２本ある面を東面（Ｅ）とする。建物１１は近傍に打設された５本の耐引抜杭１Ｓａ〜１Ｓｃ及び１Ｅａ〜１Ｅｂにより、その２面のみを囲まれている。なお、図１で建物１１の裏になる２面に杭は埋設されていない。
【００２４】
これらの耐引抜杭１Ｓａ〜１Ｓｃ及び１Ｅａ、１Ｅｂから、各々ブレース１２Ｓａ〜１２Ｓｃ及び１２Ｅａ、１２Ｅｂが、建物１１の上部に設けられた補強材１３Ｓ、１３Ｅに結合し、耐震補強構造を形成している。また、南面には建物１１と耐引抜杭１Ｓａ〜１Ｓｃとの間にテラス３１を設けており、また東面にはブレース１２に対応して飾りフェンス３２を設置している。
【００２５】
図２はこの耐震補強構造の一組を詳細に示した側面図である。本実施例で使用する耐引抜杭１は一種のスパイラルアンカーであり、その杭本体２は下端部２−１を閉鎖した中空状の鋼管から構成されている。杭本体２の下端部２−１にはスパイラル羽根３が設けられているが、本実施形態のように、このスパイラル羽根３に続けてスパイラル羽根３’及びスパイラル羽根３”をその上方に順次配置する場合には、隣接するスパイラル羽根との間隔は、スパイラル羽根３の巻付けピッチの整数倍の間隔とされているものであり、これによって夫々のスパイラル羽根が形成する螺旋経路が一致するように構成できるので、耐引抜杭１の回転駆動による埋設が円滑に行われる。
【００２６】
さらに、本実施の形態では、杭本体２の下端部２−１に杭本体２の直径よりも径の小さい先端部４を有しており、この先端部４にもスパイラル羽根５が装備されている。しかして、スパイラル羽根５の配置ピッチも、スパイラル羽根３に関連付けて決定されており、耐引抜杭１の円滑な埋設が遂行される。
【００２７】
耐引抜杭１は、軟弱地盤を完全に補強できるように、杭本体２に配置したスパイラル羽根３、スパイラル羽根３’、スパイラル羽根３”の間に１乃至複数のアンカーピン６を配置している。このアンカーピン６の配置は、図２に示すような、互いに直角をなす配置に限らず、軟弱地盤の補強に求められる耐力を確保するのに必要な個数を、対処すべき適宜の関連を保ちながら杭本体２に配置するものである。
【００２８】
このアンカーピン６は、耐引抜杭１の埋設時には杭本体２の内部に装着されているが、耐引抜杭１の埋設が完了した後で、杭本体内部に挿入したジャッキ（図示せず）により、杭本体２の内部より突出しピン７を地盤中に押し出して固定するものである。
【００２９】
耐引抜杭１の頂部にはフランジ８が取り付けられており、ここにブレース固定金具１４がフランジ１５とボルト１６により締結される。また、ブレース固定金具１４には仕口板１７が取り付けられており、ここにブレース１２がボルト１８により固定される。
【００３０】
ブレース１２の他端は、建物１１の上部に取り付けられた補強材１３により取り付けられた仕口板１９にボルト１８により締結される。この補強材１３は、本実施の形態に特有のものであり、木造の建物と鋼材を結合するために使用している。すなわち、補強材１３は、柱２０にＵボルト２１と押さえ板２２により固定されている。このような建物１１とブレース１２の締結構造は、本実施例に限定されるものでないことは明らかである。
【００３１】
本実施例では、耐引抜杭１と建物１１の基礎２３との間にテラス３１を設置している。テラス３１は耐震補強構造には関係しないが、耐引抜杭１の頂部を隠すと共に、ブレース１２の外観を和らげる効果がある。また、テラス３１の内部に、耐引抜杭１と基礎２３の間を結合する水平ブレース（図示せず）を構成し、より耐震強度を向上させることも可能である。
【００３２】
実施例１による耐震補強構造は、以上に説明したように構成されているので、耐震補強構造として有効な以下の機能を発揮している。
１）複数の耐引抜杭で建物周囲の軟弱地盤を完全に補強することで、建物基礎部の耐震補強ができる。
２）耐引抜杭と建物をブレースで結合し、建物地上部の耐震補強ができる。
３）耐震補強構造は主に建物外部の工事であり、住人の居住を妨げない。
４）耐引抜杭の使用により、建物片側だけの施工でも効果がある。
５）上記の諸効果により工事のコスト低減と期間短縮ができる。
６）耐震補強構造を利用したテラスを追設できる。
【実施例２】
【００３３】
図３は本発明に係る耐震補強構造を適用した建物の別の例を示す鳥瞰図である。この耐震補強構造は、基本的には実施例１の耐震補強構造と同様であることから、同一の部位に関しては同一の符号で表現している。
【００３４】
建物６１は近傍に打設された５本の耐引抜杭５１Ｓａ〜５１Ｓｃ及び５１Ｅａ、５１Ｅｂにより、その２面のみを囲まれている。なお、図３で建物６１の裏になる２面には杭は埋設されていない。
【００３５】
これらの耐引抜杭５１Ｓａ〜５１Ｓｃ及び５１Ｅａ、５１Ｅｂから、各々ブレース６２Ｓａ〜６２Ｓｃ及び６２Ｅａ、６２Ｅｂが、建物６１の１階上部に設けられた１階補強材６３Ｓ、６３Ｅ（図示せず）に結合し、耐震補強構造をなすと共に、耐引抜杭５１Ｓａ〜５１Ｓｃ及び５１Ｅａ、５１Ｅｂから、各々支柱６４Ｓａ〜６４Ｓｃ及び６４Ｅａ、６４Ｅｂが立ち上がり、それらの頂部から、各々横梁６５Ｓａ〜６５Ｓｃ及び６５Ｅａ、６５Ｅｂが、建物６１の１階上部に設けられた１階補強材６３Ｓ、６３Ｅ（図示せず）に結合し、さらに支柱６４Ｓａ〜６４Ｓｃ及び６４Ｅａ、６４Ｅｂの頂部から、各々ブレース６６Ｓａ〜６６Ｓｃ及び６６Ｅａ、６６Ｅｂが、建物６１の２階上部に設けられた２階補強材６７Ｓ、６７Ｅに結合し、耐震補強構造を形成している。
【００３６】
また、これらの耐震補強構造を前梁６８Ｓ及び６８Ｅで結合することで、これらの前梁６８、横梁６５、２階補強材６３で構成する水平な枠組みを利用して、南面と東面でそれぞれベランダ６９Ｓ、６９Ｅを設置している。また、南面には建物６１と耐引抜杭５１との間にテラス３１を設けており、東面にはブレース６２Ｅに対応して飾りフェンス３２を設置している。
【００３７】
図４はこの耐震補強構造の一組を詳細に示した側面図である。本実施例で使用する耐引抜杭５１は、実施例１と同様であり、詳細な説明は省略するが、そのサイズやアンカーピン本数は、地盤の状況に応じて選定される。
【００３８】
耐引抜杭５１の頂部にはフランジ８が取り付けられており、ここに支柱６４の下部フランジ１５がボルト１６により締結される。また、支柱６４にはブレース用の仕口板７０が取り付けられており、ここにブレース６２がボルト１８により締結される。
【００３９】
ブレース６２の他端は、建物６１の１階上部に取り付けられた１階補強材６３に取り付けられた仕口板７１にボルト１８により締結される。また、１階補強材６３は柱７２に、Ｕボルト２２と押さえ板２３により固定されている。なお、このような１階補強材６３を使用した建物とブレース６２の締結構造は、本実施例に限定されるものでないことは明らかである。
【００４０】
また、支柱６４の頂部にはフランジ７３が取り付けられており、ここにブレース固定金具７４がフランジ７５とボルト１６により締結される。また、固定金具７４には仕口板７６が取り付けられており、ここにブレース６６がボルト１８により固定される。
【００４１】
ブレース６６の上側は、建物６１の上部に取り付けられた２階補強材６７に取り付けられた仕口板７７にボルト１８により締結される。また、２階補強材６７は柱７２にＵボルト２２と押さえ板２３により固定されている。なお、このような２階補強材６７を使用した建物６１とブレース６６の締結構造は、本実施例に限定されるものでないことは明らかである。
【００４２】
さらに、柱６４の上部に仕口板７８が付属しており、横梁６５がボルト１８により締結されている。また、横梁６５の他端は１階補強材６３に取り付けられた仕口板７９にボルト１８により締結されている。また、建物６１の同一面に設置された耐震補強構造を結ぶ前梁６８が支柱６４の上部に締結されている。
【００４３】
本実施例では、２階の前梁６８、横梁６５、１階補強材６３が形成する水平な枠を利用してベランダ６９を設置している。ベランダ６９は耐震補強構造には関係しないが、ベランダという耐震補強構造を利用した新たな機能が追加でき、また耐震補強構造の外観を和らげる効果がある。また、ベランダ６９の床の下に水平ブレース（図示せず）を構成すれば、耐震強度をより向上させることが可能である。
【００４４】
実施例２による耐震補強構造は、以上に説明したように構成されているので、耐震補強構造として実施例１に加えて次の機能を発揮している。
１）杭から延長した支柱と建物の上層階をブレースで結合し、多層建物の地上部の耐震補強ができる。
２）耐震補強構造を利用したベランダを追設できる。
【実施例３】
【００４５】
図５は本発明に係る耐震補強構造を適用した建物のさらに別の実施例を示す鳥瞰図である。この耐震補強構造は、実施例１の耐震補強構造と同様な構造に加え、建物９１の入口付近に門型フレームを設けている。
【００４６】
建物９１の近傍に打設された５本の杭のうち、建物９１の入口近くの耐引抜杭９２から支柱９３が延長し、また建物９１側に結合された支柱９４が支柱９３と対向し、両方の支柱９３、９４を梁９５で剛接して門型フレームをなし、耐震補強構造としている。また、小屋根９６を被せて玄関ポーチの機能を持たせている。このように構成することで、東面から玄関へのアプローチが可能である。
【００４７】
図６はこの耐震補強構造を詳細に示した側面図である。本実施例で使用する耐引抜杭９２は、実施例１で使用したものと同様であり、詳細な説明は省略するが、そのサイズやアンカーピン本数は地盤の状況に応じて選定される。
【００４８】
耐引抜杭９２の頂部にはフランジ８が取り付けられており、ここに支柱９３の下部フランジ８０がボルト８１により締結される。また、建物９１の柱８２に支柱９４がＵボルト８３により固定されている。そして、梁９５が支柱９３と支柱９４に溶接等で剛接されて門型フレームを形成し、耐震補強構造としている。なお、建物９１側の支柱９４の固定方法は本実施例に限定されず、また建物９１の柱が支柱９４の機能を担える場合には、支柱９４を必要としないなどの変更が可能なことは明らかである。
【００４９】
この門型フレームの上部に小屋根９６を被せて玄関ポーチとしているが、支柱９３と支柱９４の下部も梁（図示せず）で連結してロ型のフレームとすれば、さらに耐震性を向上できる。
【００５０】
実施例３による耐震補強構造は、以上に説明したように構成されているので、耐震補強構造として実施例１に加えて次の機能を発揮している。
１）耐引抜杭と建物を門型フレームで結合し、地上部の耐震補強ができる。
２）門型フレームとすることで人の通行ができる。
３）門型フレームを利用して玄関ポーチを構成できる。
【００５１】
以上、本発明の実施の形態について詳細に説明してきたが、本発明による耐震補強構造は、上記実施の形態に何ら限定されるものではなく、本発明の趣旨を逸脱しない範囲において種々の変更が可能であることは当然のことである。
【産業上の利用可能性】
【００５２】
本発明による耐震補強構造は、建物の耐震補強に有効であり、軟弱地盤の補強と、建物の補強を同時対応できるものであり、さらにベランダやテラスなどの機能追加を可能とするものである。
【図面の簡単な説明】
【００５３】
【図１】本発明に係る耐震補強構造を適用した建物の一例を示す鳥瞰図
【図２】図１の耐震補強構造の一組を詳細に示した側面図
【図３】本発明に係る耐震補強構造を適用した建物の別の例を示す鳥瞰図
【図４】図３の耐震補強構造の一組を詳細に示した側面図
【図５】本発明に係る耐震補強構造を適用した建物のさらに別の例を示す鳥瞰図
【図６】図５の耐震補強構造を詳細に示した側面図
【符号の説明】
【００５４】
１，５１，９２  耐引抜杭
２  杭本体
３，３’，３”  スパイラル羽根
４  先端部
５  スパイラル羽根
６  アンカーピン
７  突出ピン
８  ，１５，７３，７５，８０  フランジ
１１，６１，９１  建物
１２，６２，６６  ブレース
１３  補強材
１４，７４  ブレース固定金具
１６，１８，８１  ボルト
１７，１９，７０，７１，７６，７７，７８，７９  仕口板
２０，７２，８２  柱
２１，８３  Ｕボルト
２２  押さえ板
２３，８０，８４  基礎
３１  テラス
３２  化粧フェンス
６３  １階補強材
６４，９３，９４  支柱
６５  横梁
６７  ２階補強材
６８  前梁
６９  ベランダ
８５  玄関
９５  梁
９６  小屋根
【図１】
2005299083.tif 000003
【図２】
2005299083.tif 000004
【図３】
2005299083.tif 000005
【図４】
2005299083.tif 000006
【図５】
2005299083.tif 000007
【図６】
2005299083.tif 000008